(57)【要約】  医療検査管理装置４は、検査オーダー情報を取得し、取得した検査オーダー情報に基づき、本検査のスケジュールと、検査の準備から実施を経て結果が出るまでに要する所要時間が前記本検査よりも短い簡易検査のスケジュールとを設定する検査スケジュール設定部１４と、簡易検査の結果を取得する検査結果取得部１５と、を備え、検査スケジュール設定部１４は、本検査のスケジュールと、簡易検査のスケジュールとを、本検査の実施前に簡易検査の結果が出るスケジュールに設定し、検査結果取得部１５によって取得された簡易検査の結果が陰性である場合に、設定された本検査のスケジュールを取り消し可能とする。
2019176960.tif 000002
【特許請求の範囲】
【請求項１】
検査オーダー情報を取得し、取得した前記検査オーダー情報に基づき、本検査のスケジュールと、検査の準備から実施を経て結果が出るまでに要する所要時間が前記本検査よりも短い簡易検査のスケジュールとを設定する検査スケジュール設定部と、
前記簡易検査の結果を取得する検査結果取得部と、
を備え、
前記検査スケジュール設定部は、
前記本検査のスケジュールと、前記簡易検査のスケジュールとを、前記本検査の実施前に前記簡易検査の結果が出るスケジュールに設定し、
前記検査結果取得部によって取得された前記簡易検査の結果が陰性である場合に、設定された前記本検査のスケジュールを取り消し可能とする、
医療検査管理装置。
【請求項２】
請求項１記載の医療検査管理装置であって、
前記検査スケジュール設定部は、
取り消し可能とした前記本検査のスケジュールの取り消し指示を受け付けた場合に、前記本検査のスケジュールを取り消す、
医療検査管理装置。
【請求項３】
請求項１又は２記載の医療検査管理装置であって、
前記検査オーダー情報は、前記本検査を二次検査とした場合の一次検査の受診の有無を含み、
前記検査スケジュール設定部は、前記検査結果取得部によって取得された前記簡易検査の結果が陰性であり、且つ一次検査が受診有りである場合に、設定された前記本検査のスケジュールを取り消す、
医療検査管理装置。
【請求項４】
請求項１から３のいずれか一項記載の医療検査管理装置であって、
前記本検査は大腸画像検査であり、前記簡易検査は大腸体液検査である医療検査管理装置。
【請求項５】
請求項４記載の医療検査管理装置であって、
前記大腸画像検査は大腸内視鏡検査であり、前記大腸体液検査は便潜血検査である医療検査管理装置。
【請求項６】
請求項５記載の医療検査管理装置であって、
前記大腸内視鏡検査は、被検者に排泄を行わせて被検者の大腸を洗浄する工程と、被検者に麻酔をかける工程と、被検者の大腸に内視鏡を挿入して検査を行う工程と、被検者を麻酔から回復させる工程と、を含み、
前記便潜血検査は、被検者が排泄した便を採便容器に収容する工程と、採便容器を便潜血検査装置に設置して検査を行う工程と、を含む、
医療検査管理装置。
【請求項７】
請求項１から３のいずれか一項記載の医療検査管理装置であって、
前記本検査は乳房生検検査であり、前記簡易検査は乳房画像検査である医療検査管理装置。
【請求項８】
請求項７記載の医療検査管理装置であって、
前記乳房生検検査は、被検者の乳房を撮影する工程と、被検者に麻酔をかける工程と、被検者の乳房に生検針を穿刺する工程と、被検者を麻酔から回復させる工程とを含み、
前記乳房画像検査は、被検者の乳房を撮影する工程を含む、
医療検査管理装置。
【請求項９】
検査オーダー情報を取得し、取得した前記検査オーダー情報に基づき、本検査のスケジュールを設定し、また、検査の準備から実施を経て結果が出るまでに要する所要時間が前記本検査よりも短い簡易検査のスケジュールを、前記本検査の実施前に前記簡易検査の結果が出るスケジュールに設定するスケジュール設定ステップと、
前記簡易検査の結果を取得する簡易検査結果取得ステップと、
取得した前記簡易検査の結果が陰性である場合に、設定された前記本検査のスケジュールを取り消し可能とする取消ステップと、
を備える医療検査管理方法。
【請求項１０】
請求項９記載の医療検査管理方法であって、
取消ステップは、
前記本検査のスケジュールの取り消し指示を受け付けた場合に、前記本検査のスケジュールを取り消す、
医療検査管理方法。
【請求項１１】
請求項９又は１０記載の医療検査管理方法であって、
前記検査オーダー情報は、前記本検査を二次検査とした場合の一次検査の受診の有無を含み、
前記取消ステップは、前記簡易検査の結果が陰性であり、且つ前記一次検査が受診有りである場合に、設定された前記本検査のスケジュールをキャンセルする、
医療検査管理方法。
【請求項１２】
請求項９から１１のいずれか一項記載の医療検査管理方法の各ステップをコンピュータに実行させるプログラム。
【請求項１３】
請求項１２に記載のプログラムを記録した、コンピュータが読取可能な非一時的な記録媒体。
【発明の詳細な説明】
【技術分野】
【０００１】
本発明は、医療検査管理装置、医療検査管理方法及びプログラムに関する。
【背景技術】
【０００２】
特許文献１に記載された医療検査支援装置は、被検者に対して過去に実施された検査に関する情報と、被検者に対する医師の所見の情報とに基づいて、診断を確定するために必要な追加の検査を特定し、検査の日程を提案する。例えば、被検者に対して過去に実施された便潜血検査で陽性判定がなさされており、被検者に対する医師の所見が大腸がんを疑うものである場合に、医療検査支援装置は、診断を確定するために必要な追加の検査として大腸内視鏡検査を特定し、被検者及び医療機関の空き日程等を考慮して検査の日程を提案する。
【先行技術文献】
【特許文献】
【０００３】
【特許文献１】日本国特開２０１７−５４２６８号公報
【発明の概要】
【発明が解決しようとする課題】
【０００４】
一般に、便潜血検査は、集団検診におけるスクリーニング検査として実施されており、大腸内視鏡検査は、スクリーニング検査において陽性判定された被検者に対する精密検査として、スクリーニング検査の後日に実施されている。【０００５】
ところで、便潜血検査は、腫瘍からの出血を検出することを目的としているが、実際には痔による出血も検出してしまう。このため、便潜血検査で陽性判定であっても大腸内視鏡検査で腫瘍が確認されずに陰性判定となる割合は、５０％〜７０％程である。【０００６】
大腸内視鏡検査は、典型的には、下剤を使用して被検者に排泄させる大腸洗浄工程、麻酔工程、内視鏡を使用した検査工程、麻酔からの回復を図る安静工程等の多くの工程を要し、便潜血検査と比較して検査に長時間を要し、大腸に内視鏡が挿入されるため侵襲性も高く、被検者及び検査を実施する医療機関の負担は大きい。【０００７】
また、乳がんの検査では、一般に、集団検診におけるスクリーニング検査としてＸ線マンモグラフィ検査が実施されており、スクリーニング検査において陽性判定された被検者に対する精密検査として、乳房生検検査がスクリーニング検査の後日に実施されている。乳房生検検査は、乳房に吸引生検針が穿刺されるため侵襲性が高く、大腸内視鏡検査と同様に被検者の負担は大きい。【０００８】
本発明は、被検者及び検査を実施する医療機関の負担を軽減可能な医療検査管理装置、医療検査管理方法、及びプログラムを提供することを目的とする。
【課題を解決するための手段】
【０００９】
本発明の一態様の検査管理装置は、検査オーダー情報を取得し、取得した上記検査オーダー情報に基づき、本検査のスケジュールと、検査の準備から実施を経て結果が出るまでに要する所要時間が上記本検査よりも短い簡易検査のスケジュールとを設定する検査スケジュール設定部と、上記簡易検査の結果を取得する検査結果取得部と、を備え、上記検査スケジュール設定部は、上記本検査のスケジュールと、上記簡易検査のスケジュールとを、上記本検査の実施前に上記簡易検査の結果が出るスケジュールに設定し、上記検査結果取得部によって取得された上記簡易検査の結果が陰性である場合に、設定された上記本検査のスケジュールを取り消し可能とする。【００１０】
本発明の一態様の検査管理方法は、検査オーダー情報を取得し、取得した上記検査オーダー情報に基づき、本検査のスケジュールを設定し、また、検査の準備から実施を経て結果が出るまでに要する所要時間が上記本検査よりも短い簡易検査のスケジュールを、上記本検査の実施前に上記簡易検査の結果が出るスケジュールに設定するスケジュール設定ステップと、上記簡易検査の結果を取得する簡易検査結果取得ステップと、取得した上記簡易検査の結果が陰性である場合に、設定された上記本検査のスケジュールを取り消し可能とする取消ステップと、を備える。【００１１】
本発明の一態様のプログラムは、上記検査管理方法の各ステップをコンピュータに実行させる。
【発明の効果】
【００１２】
本発明によれば、被検者及び検査を実施する医療機関の負担を軽減可能な医療検査管理装置、医療検査管理方法、及びプログラムを提供することができる。
【図面の簡単な説明】
【００１３】
【図１】本発明の実施形態を説明するための、医療情報システムの一例のブロック図である。
【図２】図１の医療検査管理装置が行う医療検査管理方法の一例のフローチャートである。
【図３】図２の医療検査管理方法によって実現される検査の一例のフローチャートである。
【図４】図２の医療検査管理方法の変形例のフローチャートである。
【発明を実施するための形態】
【００１４】
図１は、本発明の実施形態を説明するための、医療情報システムの一例を示す。
【００１５】
医療情報システム（以下、単にシステムという）１は、病院等の医療機関に導入され、医療機関で実施される各種の検査の申し込み、検査スケジュールの設定、検査オーダーの発行、及び検査結果を管理するものである。以下では、大腸がん検査及び乳がん検査を例に、システム１の構成及び機能を説明するが、対象となる検査は大腸がん検査及び乳がん検査に限定されない。
【００１６】
システム１は、サーバー２と、クライアント３ａ及びクライアント３ｂと、医療検査管理装置４とを備え、サーバー２と、クライアント３ａ及びクライアント３ｂと、医療検査管理装置４とは、ＬＡＮ（Local Area Network）等のネットワーク５によって接続されている。そして、システム１は、ネットワーク５を介して他部門システム６とも接続されている。他部門システム６は、例えば病理部門システム、内視鏡部門システム、放射線部門システム、超音波部門システムである。
【００１７】
サーバー２は、ＣＰＵ（Central Processing Unit）等のプロセッサと、ＲＯＭ（Read Only Memory）、ＲＡＭ（Random access memory）、ＨＤＤ（Hard Disk Drive）等の記憶装置と、キーボード、マウス等の入力装置と、ＣＲＴ（Cathode Ray Tube）、ＬＣＤ（liquid crystal display）等の表示装置とを備えるコンピュータである。サーバー２の記憶装置にはデータベースＤＢが設けられており、サーバー２は、検査の申し込み、検査オーダー、検査結果等の各種の情報をデータベースＤＢに格納し、データベースＤＢに格納している上記各種の情報を、必要に応じてクライアント３ａ及びクライアント３ｂ、医療検査管理装置４、他部門システム６等に提供する。
【００１８】
クライアント３ａは、ＣＰＵ等のプロセッサと、ＲＯＭ、ＲＡＭ、ＨＤＤ等の記憶装置と、キーボード、マウス等の入力装置と、ＣＲＴ、ＬＣＤ等の表示装置とを備えるコンピュータである。クライアント３ａは、例えば医療機関の受付に設置されており、医療事務従事者によって操作され、検査申し込み情報の入力を受け付ける。検査申し込み情報は、被検者の識別情報（氏名、生年月日、年齢、性別等）と、検査種別（大腸がん検査、乳がん検査等）とを含む。入力された検査申し込み情報は、クライアント３ａからサーバー２に送信され、データベースＤＢに格納される。
【００１９】
クライアント３ｂは、ＣＰＵ等のプロセッサと、ＲＯＭ、ＲＡＭ、ＨＤＤ等の記憶装置と、キーボード、マウス等の入力装置と、ＣＲＴ、ＬＣＤ等の表示装置とを備えるコンピュータである。クライアント３ｂは、例えば診察室に設置されており、医師によって操作される。クライアント３ｂは、検査申し込み情報をデータベースＤＢから取得し、取得した検査申し込み情報を表示装置に表示する。表示された検査申し込み情報は、医師が被検者に対して行う診察、検査の説明等に用いられる。そして、クライアント３ｂは、検査オーダー情報の入力を受け付ける。検査オーダー情報は、被検者の識別情報と、オーダーされる検査と、一次検査の受診の有無とを含む。入力された検査オーダー情報は、クライアント３ｂからサーバー２に送信され、データベースＤＢに格納される。
【００２０】
オーダーされる検査は、本検査と、簡易検査とのセットで構成される。簡易検査とは、検査の準備から実施を経て結果が出るまでに要する所要時間が本検査よりも短い検査である。一例として、大腸がん検査の場合に、本検査は大腸画像検査であり、簡易検査は大腸体液検査である。大腸画像検査としては、大腸内視鏡検査、ＣＴ（Computed Tomography）検査等が例示され、大腸体液検査としては、便潜血検査、便ＤＮＡ（deoxyribonucleic acid）検査等が例示される。他の例として、乳がん検査の場合に、本検査は乳房生検検査であり、簡易検査は乳房画像検査である。乳房生検検査としては、マンモグラフィーガイド下マンモトーム生検検査、超音波ガイド下マンモトーム生検検査等が例示され、乳房画像検査としては、Ｘ線マンモグラフィ検査、超音波検査等が例示される。
【００２１】
また、一次検査は、上記本検査を二次検査とした場合の一次検査であり、実施済みの検査である。大腸がん検査の場合に、一次検査は、例えば集団検診におけるスクリーニング検査として実施される便潜血検査である。また、乳がん検査の場合に、一次検査は、例えば集団検診におけるスクリーニング検査として実施されるＸ線マンモグラフィ検査あるいは乳房超音波検査である。
【００２２】
医療検査管理装置４は、ＣＰＵ等のプロセッサ１０と、ＲＯＭ、ＲＡＭ、ＨＤＤ等の記憶装置１１と、キーボード、マウス等の入力装置１２と、ＣＲＴ、ＬＣＤ等の表示装置１３とを備えるコンピュータである。プロセッサ１０は、記憶装置１１に記憶されているプログラムに従って動作し、あるいはネットワーク５を通じてサーバー２から提供されるプログラムに従って動作することにより、検査スケジュール設定部１４として機能し、検査結果取得部１５としても機能する。
【００２３】
検査スケジュール設定部１４は、検査オーダー情報をデータベースＤＢから取得し、取得した検査オーダー情報によって特定される本検査及び簡易検査のスケジュールを設定する。検査結果取得部１５は、検査スケジュール設定部１４が取得した検査オーダー情報によって特定される簡易検査の検査結果をデータベースＤＢから取得する。
【００２４】
次に、医療検査管理装置４が行う医療検査管理方法について説明する。図２は、医療検査管理方法の一例を示す。
【００２５】
＜スケジュール設定ステップ＞
医療検査管理装置４は、検査オーダー情報をデータベースＤＢから取得する（ステップＳ１）。検査オーダー情報は、例えば新たな検査オーダー情報がデータベースＤＢに登録された際に、サーバー２から医療検査管理装置４に自動的に送信されてもよいし、医療検査管理装置４がサーバー２に対して定期的に要求し、この要求に応じてサーバー２から医療検査管理装置４に送信されてもよい。
【００２６】
医療検査管理装置４は、取得した検査オーダー情報によって特定される本検査及び簡易検査のスケジュールを設定する（ステップＳ２）。ここで、簡易検査は、検査の準備から実施を経て結果が出るまでに要する所要時間が本検査よりも短い検査であり、検査スケジュール設定部１４は、本検査のスケジュールと、簡易検査のスケジュールとを、本検査の実施前に簡易検査の検査結果が出るスケジュールに設定する。
【００２７】
スケジュールが設定された検査オーダー情報は、サーバー２を介し、本検査及び簡易検査を実施する他部門システム６（病理部門システム、内視鏡部門システム、放射線部門システム、超音波部門システム等）に送信される。他部門において、本検査及び簡易検査がスケジュールに従って実施される。そして、本検査及び簡易検査の検査結果は、他部門システム６からサーバー２に送信され、データベースＤＢに格納される。
【００２８】
＜簡易検査結果取得ステップ＞
医療検査管理装置４は、ステップＳ１で取得した検査オーダー情報によって特定される簡易検査の検査結果をデータベースＤＢから取得する（ステップＳ３）。簡易検査の検査結果は、検査結果がデータベースＤＢに登録された際に、サーバー２から医療検査管理装置４に自動的に送信されてもよいし、ステップＳ２で設定した簡易検査のスケジュールに基づき、簡易検査の検査結果が出たタイミングで医療検査管理装置４がサーバー２に対して要求し、要求に応じてサーバー２から医療検査管理装置４に送信されてもよい。
【００２９】
＜取消ステップ＞
医療検査管理装置４は、ステップＳ３で取得した簡易検査の検査結果に基づき、この簡易検査とセットとなる本検査のスケジュールの取り消しの可否を判定する（ステップＳ４）。
【００３０】
簡易検査の検査結果が陽性である場合に（ステップＳ４−Ｎｏ）、医療検査管理装置４は、本検査のスケジュールを取り消し不可と判定し、ステップＳ２で設定したスケジュールを維持する（ステップＳ５）。この場合に、他部門において、本検査がスケジュールに従って実施される。
【００３１】
一方、簡易検査の検査結果が陰性である場合には（ステップＳ４−Ｙｅｓ）、医療検査管理装置４は、本検査のスケジュールを取り消し可能と判定する（ステップＳ６）。スケジュールの取り消しが可能と判定された本検査は、例えば医療検査管理装置４の表示装置１３及び／又はクライアント３ｂの表示装置に表示され、本検査の実施前に医師に通知される。
【００３２】
この後、医師によって簡易検査の検査結果が被検者に通知され、本検査の受診を希望するか否かについて被検者の意思が確認される。被検者が本検査の受診を希望しない場合には、本検査のスケジュールの取り消し指示がクライアント３ｂに入力され、クライアント３ｂに入力された取り消し指示は、サーバー２を介して医療検査管理装置４に送信される。
【００３３】
医療検査管理装置４は、本検査のスケジュールに基づき、本検査が実施される前のタイミングで取り消し指示を受け付けた場合に、本検査のスケジュールを取り消す（ステップＳ７）。本検査のスケジュールの取り消しは、サーバー２を介し、本検査を実施する他部門システム６に送信される。これにより、本検査が実施されることなく検査は終了される。
【００３４】
なお、簡易検査の検査結果が陰性であるが、被験者が本検査の受診を希望する場合、または医師が別な観点の検査のために本検査の受診を勧め、被験者が医師の勧めに従って本検査の受診を了承した場合には、本検査の続行指示（本検査のスケジュールを取り消さない指示）がクライアント３ｂに入力される。クライアント３ｂに入力された続行指示は、サーバー２を介して医療検査管理装置４に送信され、医療検査管理装置４は、ステップＳ２で設定したスケジュールを維持する。この場合には、他部門において、本検査がスケジュールに従って実施される。
【００３５】
実施された本検査の検査結果はデータベースＤＢに登録され、医療検査管理装置４は、本検査の検査結果をデータベースＤＢから取得する（ステップＳ８）。本検査の検査結果は、例えばクライアント３ｂの表示装置に表示され、医師から被験者に伝えられる。
【００３６】
図３は、上述した医療検査管理方法によって実現される検査の流れを示す。なお、検査は大腸がん検査であり、本検査は大腸内視鏡検査であり、簡易検査は便潜血検査であるものとする。
【００３７】
本検査である大腸内視鏡検査は、被検者の大腸を洗浄する工程と、被検者に麻酔をかける工程と、被検者の大腸に内視鏡を挿入して検査を行う工程と、被検者を麻酔から回復させる工程と、を含む。一方、簡易検査である便潜血検査は、被検者の便を採取する工程と、採取した便を便潜血検査装置に設置して検査を行う工程と、を含む。
【００３８】
＜大腸洗浄工程＞
まず、本検査の準備として、被検者の大腸が洗浄される。大腸の洗浄は、通常、被検者が下剤を服用し（ステップＳＡ１）、排泄する（ステップＳＡ２）ことによって行われる。大腸の洗浄は、排泄物が透明になるまで行われ、典型的には、下剤の服用と、排泄とが、１０回ほど繰り返される。大腸の洗浄の所要時間は、典型的には２時間程である。
【００３９】
＜採便工程＞
簡易検査の採便は、大腸の洗浄と併せて行うことができ、例えば下剤を服用した１回目の排泄の際の便が採取される（ステップＳＢ１）。
【００４０】
＜便潜血検査工程＞
ステップＳＢ１で採取された便は、直ちに便潜血検査装置に設置され、検査される（ステップＳＢ２）。採便から便潜血検査を経て検査結果がでるまでの所要時間は、典型的には２時間未満であり、本検査の準備である大腸の洗浄の所要時間よりも短い。したがって、大腸の洗浄が継続される期間内に便潜血検査の検査結果がでることになる。
【００４１】
便潜血検査の検査結果が陽性である場合には（ステップＳＡ３−Ｙｅｓ）、排泄物が透明になるまで大腸の洗浄が続けられ、排泄物が透明となったのち、すなわち大腸の洗浄が完了したのち、大腸内視鏡検査が実施される。
【００４２】
＜麻酔工程、内視鏡検査工程、麻酔回復工程＞
大腸内視鏡検査では、まず被検者に麻酔がかけられ（ステップＳＡ４）、被検者の大腸に内視鏡が挿入される（ステップＳＡ５）。そして、被検者の大腸から内視鏡が抜去され、被検者の麻酔がとかれる（ステップＳＡ６）。
【００４３】
一方、便潜血検査の検査結果が陰性である場合には（ステップＳＡ３−Ｎｏ）、上記のとおり、本検査のスケジュールが医療検査管理装置４によって取り消し可能と判定される。本検査のスケジュールが取り消し可能と判定された場合には、上述したとおり、本検査の受診を希望するか否かについて被検者の意思が確認され、被検者が本検査の受診を希望しない場合に、医師によって本検査のスケジュールが取り消される（図２のステップＳ６〜ステップＳ７参照）。本検査のスケジュールが取り消されると、上記ステップＳＡ４の麻酔工程と、ステップＳＡ５の内視鏡検査工程と、ステップＳＡ６の麻酔回復工程が行われることなく、検査は終了される。
【００４４】
このように、簡易検査の結果が陰性である場合に、実施前の本検査を取り消して被検者及び医療機関の負担を軽減できる。また、簡易検査の結果が陰性であっても、本検査を希望する被検者に対しては本検査を取り消けさずに実施でき、臨機応変な対応も可能である。
【００４５】
以上は大腸がん検査の場合であるが、乳がん検査の場合にも被検者及び医療機関の負担を軽減可能である。本検査が乳房生検検査であり、簡易検査が乳房画像検査であるものとして、上述した医療検査管理方法によって実現される乳がん検査の流れを説明する。
【００４６】
本検査である乳房生検検査は、被検者の乳房を撮影する工程と、被検者に麻酔をかける工程と、被検者の乳房に吸引生検針を穿刺して検査を行う工程と、被検者を麻酔から回復させる工程と、を含む。一方、簡易検査である乳房画像検査は、被検者の乳房を撮影する工程を含む。
【００４７】
＜撮影工程＞
まず、本検査の準備として、被検者の乳房が、放射線又は超音波によって撮影される。この撮影は、吸引生検針の穿刺位置情報を算出するための撮影であり、撮影の所要時間は、典型的には１５分程である。簡易検査の撮影工程は、本検査の撮影工程と併せて行うことができ、本検査の撮影工程で撮影された一枚以上の画像が簡易検査の撮影画像とされる。
【００４８】
＜麻酔工程、生検検査工程、麻酔回復工程＞
簡易検査の検査結果が陽性である場合には、まず被検者に麻酔がかけられ、被験者の乳房に生検針が穿刺され。そして、被検者の乳房から生検針が抜去され、被検者の麻酔がとかれる。なお、穿刺により採取された細胞は、次に病理検査においてスライスされ、固定され、且つ染色されて顕微鏡観察され、腫瘍の有無が判断される。
【００４９】
一方、簡易検査の検査結果が陰性である場合には、上記のとおり、本検査のスケジュールが医療検査管理装置４によって取り消し可能と判定される。本検査のスケジュールが取り消し可能と判定された場合には、上述したとおり、本検査の受診を希望するか否かについて被検者の意思が確認され、被検者が本検査の受診を希望しない場合に、医師によって本検査のスケジュールが取り消される（図２のステップＳ６〜ステップＳ７参照）。本検査のスケジュールが取り消されると、上記麻酔工程、上記生検検査工程、及び上記麻酔回復工程が行われることなく、検査は終了される。
【００５０】
図４は、図２に示した医療検査管理方法の変形例を示す。
【００５１】
上述した取消ステップにおいて、簡易検査の検査結果が陰性である場合に（ステップＳ４−Ｙｅｓ）、検査オーダー情報に含まれる一次検査の受診の有無が有りである場合には（ステップＳ９−Ｙｅｓ）、医療検査管理装置４が、取り消し指示を受け付けることを条件とせずに本検査を取り消してもよい。
【００５２】
一次検査（集団検診におけるスクリーニング検査）を受診している被検者は、基本的に一次検査の結果が陽性であったために二次検査としての本検査を受診していると考えられ、簡易検査の結果が陰性であれば本検査を取り消しても差し支えない。そこで、医療検査管理装置４が、取り消し指示を受け付けることを条件とせずに本検査を取り消すようにすれば、被検者及び医師の意思確認を省き、医療機関の負担をさらに軽減できる。
【００５３】
以上、説明したとおり、本明細書に開示された医療検査管理装置は、検査オーダー情報を取得し、取得した上記検査オーダー情報に基づき、本検査のスケジュールと、検査の準備から実施を経て結果が出るまでに要する所要時間が上記本検査よりも短い簡易検査のスケジュールとを設定する検査スケジュール設定部と、上記簡易検査の結果を取得する検査結果取得部と、を備え、上記検査スケジュール設定部は、上記本検査のスケジュールと、上記簡易検査のスケジュールとを、上記本検査の実施前に上記簡易検査の結果が出るスケジュールに設定し、上記検査結果取得部によって取得された上記簡易検査の結果が陰性である場合に、設定された上記本検査のスケジュールを取り消し可能とする。
【００５４】
また、本明細書に開示された医療検査管理装置は、上記検査スケジュール設定部は、取り消し可能とした上記本検査のスケジュールの取り消し指示を受け付けた場合に、上記本検査のスケジュールを取り消す。
【００５５】
また、本明細書に開示された医療検査管理装置は、上記検査オーダー情報は、上記本検査を二次検査とした場合の一次検査の受診の有無を含み、上記検査スケジュール設定部は、上記検査結果取得部によって取得された上記簡易検査の結果が陰性であり、且つ一次検査が受診有りである場合に、設定された上記本検査のスケジュールを取り消す。
【００５６】
また、本明細書に開示された医療検査管理装置は、上記本検査は大腸画像検査であり、上記簡易検査は大腸体液検査である。
【００５７】
また、本明細書に開示された医療検査管理装置は、上記大腸画像検査は大腸内視鏡検査であり、上記大腸体液検査は便潜血検査である。
【００５８】
また、本明細書に開示された医療検査管理装置は、上記大腸内視鏡検査は、被検者に排泄を行わせて被検者の大腸を洗浄する工程と、被検者に麻酔をかける工程と、被検者の大腸に内視鏡を挿入して検査を行う工程と、被検者を麻酔から回復させる工程と、を含み、上記便潜血検査は、被検者が排泄した便を採便容器に収容する工程と、採便容器を便潜血検査装置に設置して検査を行う工程と、を含む。
【００５９】
また、本明細書に開示された医療検査管理装置は、上記本検査は乳房生検検査であり、上記簡易検査は乳房画像検査である。
【００６０】
また、本明細書に開示された医療検査管理装置は、上記乳房生検検査は、被検者の乳房を撮影する工程と、被検者に麻酔をかける工程と、被検者の乳房に生検針を穿刺する工程と、被検者を麻酔から回復させる工程とを含み、上記乳房画像検査は、被検者の乳房を撮影する工程を含む。
【００６１】
また、本明細書に開示された医療検査管理方法は、検査オーダー情報を取得し、取得した上記検査オーダー情報に基づき、本検査のスケジュールを設定し、また、検査の準備から実施を経て結果が出るまでに要する所要時間が上記本検査よりも短い簡易検査のスケジュールを、上記本検査の実施前に上記簡易検査の結果が出るスケジュールに設定するスケジュール設定ステップと、上記簡易検査の結果を取得する簡易検査結果取得ステップと、取得した上記簡易検査の結果が陰性である場合に、設定された上記本検査のスケジュールを取り消し可能とする取消ステップと、を備える。
【００６２】
また、本明細書に開示された医療検査管理方法は、取消ステップは、上記本検査のスケジュールの取り消し指示を受け付けた場合に、上記本検査のスケジュールを取り消す。
【００６３】
また、本明細書に開示された医療検査管理方法は、上記検査オーダー情報は、上記本検査を二次検査とした場合の一次検査の受診の有無を含み、上記取消ステップは、上記簡易検査の結果が陰性であり、且つ一次検査が受診有りである場合に、設定された上記本検査のスケジュールをキャンセルする。
【００６４】
また、本明細書に開示されたプログラムは、上記医療検査管理方法の各ステップをコンピュータに実行させる。
【００６５】
なお、上記プログラムは、コンピュータが読取可能な一時的でない（Non-transitory）記録媒体に記録して提供可能である。このような「コンピュータが読取可能な記録媒体」は、たとえば、ＣＤ−ＲＯＭ（Compact Disc-Rom）等の光学媒体や、メモリカード等の磁気記録媒体等を含む。また、このようなプログラムを、ネットワークを介したダウンロードによって提供することもできる。
【産業上の利用可能性】
【００６６】
本発明は、医療機関で実施される各種の検査の管理に用いることができる。【００６７】
以上本発明の実施形態を詳述したがこれはあくまで一例示であり、本発明はその趣旨を逸脱しない範囲において種々変更を加えた態様で実施可能である。本出願は、２０１８年３月１３日出願の日本特許出願（特願２０１８−０４５９３３）に基づくものであり、その内容はここに参照として取り込まれる。
【符号の説明】
【００６８】
１  医療情報システム
２  サーバー
３ａ，３ｂ  クライアント
４  医療検査管理装置
５  ネットワーク
６  他部門システム
１０  プロセッサ
１１  記憶装置
１２  入力装置
１３  表示装置
１４  検査スケジュール設定部
１５  検査結果取得部
ＤＢ  データベース
【図１】
2019176960.tif 000003
【図２】
2019176960.tif 000004
【図３】
2019176960.tif 000005
【図４】
2019176960.tif 000006
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
検査オーダー情報を取得し、取得した前記検査オーダー情報に基づき、本検査のスケジュールと、検査の準備から実施を経て結果が出るまでに要する所要時間が前記本検査よりも短い簡易検査のスケジュールとを設定する検査スケジュール設定部と、
前記簡易検査の結果を取得する検査結果取得部と、
を備え、
前記検査スケジュール設定部は、
前記本検査のスケジュールと、前記簡易検査のスケジュールとを、前記本検査の実施前に前記簡易検査の結果が出るスケジュールに設定し、
前記検査結果取得部によって取得された前記簡易検査の結果が陰性である場合に、設定された前記本検査のスケジュールを取り消し可能とする、
医療検査管理装置。
【請求項２】
請求項１記載の医療検査管理装置であって、
前記スケジュール設定部は、
前記本検査のスケジュールと、前記簡易検査のスケジュールとを、前記本検査の準備中に前記簡易検査が実施されるスケジュールに設定する、
医療検査管理装置。
【請求項３】
請求項２記載の医療検査管理装置であって、
前記本検査は、大腸画像検査であり、
前記本検査の準備は、被検者に排泄を行わせて被検者の大腸を洗浄する工程を含む、
医療検査管理装置。
【請求項４】
請求項２記載の医療検査管理装置であって、
前記本検査は、乳房生検検査であり、
前記本検査の準備は、被検者の乳房を撮影する工程を含む、
医療検査管理装置。
【請求項５】
請求項１から４のいずれか一項記載の医療検査管理装置であって、
前記検査スケジュール設定部は、
取り消し可能とした前記本検査のスケジュールの取り消し指示を受け付けた場合に、前記本検査のスケジュールを取り消す、
医療検査管理装置。
【請求項６】
請求項１から５のいずれか一項記載の医療検査管理装置であって、
前記検査オーダー情報は、前記本検査を二次検査とした場合の一次検査の受診の有無を含み、
前記検査スケジュール設定部は、前記検査結果取得部によって取得された前記簡易検査の結果が陰性であり、且つ一次検査が受診有りである場合に、設定された前記本検査のスケジュールを取り消す、
医療検査管理装置。
【請求項７】
請求項１から６のいずれか一項記載の医療検査管理装置であって、
前記本検査は大腸画像検査であり、前記簡易検査は大腸体液検査である医療検査管理装置。
【請求項８】
請求項７記載の医療検査管理装置であって、
前記大腸画像検査は大腸内視鏡検査であり、前記大腸体液検査は便潜血検査である医療検査管理装置。
【請求項９】
請求項８記載の医療検査管理装置であって、
前記大腸内視鏡検査は、被検者に排泄を行わせて被検者の大腸を洗浄する工程と、被検者に麻酔をかける工程と、被検者の大腸に内視鏡を挿入して検査を行う工程と、被検者を麻酔から回復させる工程と、を含み、
前記便潜血検査は、被検者が排泄した便を採便容器に収容する工程と、採便容器を便潜血検査装置に設置して検査を行う工程と、を含む、
医療検査管理装置。
【請求項１０】
請求項１から６のいずれか一項記載の医療検査管理装置であって、
前記本検査は乳房生検検査であり、前記簡易検査は乳房画像検査である医療検査管理装置。
【請求項１１】
請求項１０記載の医療検査管理装置であって、
前記乳房生検検査は、被検者の乳房を撮影する工程と、被検者に麻酔をかける工程と、被検者の乳房に生検針を穿刺する工程と、被検者を麻酔から回復させる工程とを含み、
前記乳房画像検査は、被検者の乳房を撮影する工程を含む、
医療検査管理装置。
【請求項１２】
検査オーダー情報を取得し、取得した前記検査オーダー情報に基づき、本検査のスケジュールを設定し、また、検査の準備から実施を経て結果が出るまでに要する所要時間が前記本検査よりも短い簡易検査のスケジュールを、前記本検査の実施前に前記簡易検査の結果が出るスケジュールに設定するスケジュール設定ステップと、
前記簡易検査の結果を取得する簡易検査結果取得ステップと、
取得した前記簡易検査の結果が陰性である場合に、設定された前記本検査のスケジュールを取り消し可能とする取消ステップと、
を備える医療検査管理方法。
【請求項１３】
請求項１２記載の医療管理方法であって、
前記スケジュール設定ステップは、
前記本検査のスケジュールと、前記簡易検査のスケジュールとを、前記本検査の準備中に前記簡易検査が実施されるスケジュールに設定する、
医療検査管理方法。
【請求項１４】
請求項１２又は１３記載の医療検査管理方法であって、
取消ステップは、
前記本検査のスケジュールの取り消し指示を受け付けた場合に、前記本検査のスケジュールを取り消す、
医療検査管理方法。
【請求項１５】
請求項１２から１４のいずれか一項記載の医療検査管理方法であって、
前記検査オーダー情報は、前記本検査を二次検査とした場合の一次検査の受診の有無を含み、
前記取消ステップは、前記簡易検査の結果が陰性であり、且つ前記一次検査が受診有りである場合に、設定された前記本検査のスケジュールをキャンセルする、
医療検査管理方法。
【請求項１６】
請求項１２から１５のいずれか一項記載の医療検査管理方法の各ステップをコンピュータに実行させるプログラム。
【請求項１７】
請求項１６に記載のプログラムを記録した、コンピュータが読取可能な非一時的な記録媒体。
【国際調査報告】
2019176960.tif 000007
2019176960.tif 000008
2019176960.tif 000009